(57)【要約】【課題】複数のプロジェクトが並走し、それぞれのプロジェクトの１つ以上のタスクに課題が存在する場合、どのプロジェクトのどのタスクにリソースを投入すべきかを１回の操作で特定できるようにする。【解決手段】プロジェクト管理支援装置１００において、操作処理部１１０は、ユーザの操作１１１を入力画面で受け付ける。抽出処理部１２０は、操作処理部１１０により受け付けられた１回の操作１１１に対して、複数のプロジェクトのうち、少なくとも１つのプロジェクトを選択する。抽出処理部１２０は、選択したプロジェクトに含まれる複数のタスクの中から、リソースを投入すべきタスクを抽出する。そして、抽出処理部１２０は、抽出したタスクを示す情報１２１を生成する。表示処理部１３０は、１回の操作１１１に対して抽出処理部１２０により生成された情報１２１を表示する。【選択図】図１
2018116330.tif 000002
【特許請求の範囲】
【請求項１】
１つのプロジェクトにつき複数のタスクを含む複数のプロジェクトの管理を支援するプロジェクト管理支援装置において、
ユーザの操作を受け付ける操作処理部と、
前記操作処理部により受け付けられた１回の操作に対して、前記複数のプロジェクトのうち、少なくとも１つのプロジェクトを選択し、選択したプロジェクトに含まれる複数のタスクの中から、リソースを投入すべきタスクを抽出し、抽出したタスクを示す情報を生成する抽出処理部と、
前記１回の操作に対して前記抽出処理部により生成された情報を表示する表示処理部と
を備えるプロジェクト管理支援装置。
【請求項２】
前記操作処理部は、前記ユーザの操作を入力画面で受け付け、
前記表示処理部は、前記抽出処理部により生成された情報を、前記入力画面から直接遷移する出力画面に表示する請求項１に記載のプロジェクト管理支援装置。
【請求項３】
前記抽出処理部は、前記１回の操作に対して、２つ以上のプロジェクトを選択した場合、選択したプロジェクトごとに、リソースを投入すべきタスクを抽出し、抽出したタスクを示す情報を生成し、
前記表示処理部は、前記１回の操作に対して前記抽出処理部により生成された情報を一括表示する請求項１または２に記載のプロジェクト管理支援装置。
【請求項４】
前記表示処理部は、前記抽出処理部により生成された情報を表示する際に、リソースの投入を優先すべきタスクを他のタスクよりも強調して表示する請求項１から３のいずれか１項に記載のプロジェクト管理支援装置。
【請求項５】
１つのプロジェクトにつき複数のタスクを含む複数のプロジェクトの管理を支援するプロジェクト管理支援方法において、
操作処理部が、ユーザの操作を受け付け、
抽出処理部が、前記操作処理部により受け付けられた１回の操作に対して、前記複数のプロジェクトのうち、少なくとも１つのプロジェクトを選択し、選択したプロジェクトに含まれる複数のタスクの中から、リソースを投入すべきタスクを抽出し、抽出したタスクを示す情報を生成し、
表示処理部が、前記１回の操作に対して前記抽出処理部により生成された情報を表示するプロジェクト管理支援方法。
【請求項６】
１つのプロジェクトにつき複数のタスクを含む複数のプロジェクトの管理を支援するプロジェクト管理支援プログラムにおいて、
コンピュータに、
ユーザの操作を受け付ける操作処理と、
前記操作処理により受け付けられた１回の操作に対して、前記複数のプロジェクトのうち、少なくとも１つのプロジェクトを選択し、選択したプロジェクトに含まれる複数のタスクの中から、リソースを投入すべきタスクを抽出し、抽出したタスクを示す情報を生成する抽出処理と、
前記１回の操作に対して前記抽出処理により生成された情報を表示する表示処理と
を実行させるプロジェクト管理支援プログラム。
【発明の詳細な説明】
【技術分野】
【０００１】
本発明は、プロジェクト管理支援装置、プロジェクト管理支援方法およびプロジェクト管理支援プログラムに関するものである。
【背景技術】
【０００２】
特許文献１には、プロジェクトの重要度を判定する技術が開示されている。
【０００３】
特許文献２には、プロジェクトに含まれる複数の工程のそれぞれについて、当該工程が実行されるべき実行順番を算出する技術が開示されている。
【０００４】
特許文献３には、プロジェクトの計画およびその実行時においてユーザに対して管理支援を行う技術が開示されている。
【先行技術文献】
【特許文献】
【０００５】
【特許文献１】特開２０１２−７３８８５号公報
【特許文献２】特開２０１０−１４０１４５号公報
【特許文献３】特開２００８−２３４５５２号公報
【発明の概要】
【発明が解決しようとする課題】
【０００６】
開発の現場では、プロジェクト管理を市販のツールを用いて行うことが多い。多くのツールでは、複数のプロジェクトを管理できる。しかし、複数のプロジェクトが並走し、それぞれのプロジェクトの１つ以上のタスクに遅延等の課題が存在する場合、市販のツールでは、まず、どのプロジェクトを優先的に選択すればよいかを判断し、その後、１つのプロジェクトについてどのタスクに優先的にリソースを投入すべきかを判断する、という２段階の手順を踏まなければならない。
【０００７】
つまり、従来は、複数のプロジェクトが並走し、それぞれのプロジェクトの１つ以上のタスクに課題が存在する場合、どのプロジェクトのどのタスクにリソースを投入すべきかを１回の操作で特定できるしくみがない。そのようなしくみは、特許文献１、特許文献２および特許文献３に開示されている技術でも実現されていない。
【０００８】
本発明は、複数のプロジェクトが並走し、それぞれのプロジェクトの１つ以上のタスクに課題が存在する場合、どのプロジェクトのどのタスクにリソースを投入すべきかを１回の操作で特定できるようにすることを目的とする。
【課題を解決するための手段】
【０００９】
本発明の一態様に係るプロジェクト管理支援装置は、
１つのプロジェクトにつき複数のタスクを含む複数のプロジェクトの管理を支援するプロジェクト管理支援装置であり、
ユーザの操作を受け付ける操作処理部と、
前記操作処理部により受け付けられた１回の操作に対して、前記複数のプロジェクトのうち、少なくとも１つのプロジェクトを選択し、選択したプロジェクトに含まれる複数のタスクの中から、リソースを投入すべきタスクを抽出し、抽出したタスクを示す情報を生成する抽出処理部と、
前記１回の操作に対して前記抽出処理部により生成された情報を表示する表示処理部とを備える。
【発明の効果】
【００１０】
本発明では、１回の操作に対して、少なくとも１つのプロジェクトが選択され、選択されたプロジェクトに含まれる、リソースを投入すべきタスクを示す情報が表示される。このため、複数のプロジェクトが並走し、それぞれのプロジェクトの１つ以上のタスクに課題が存在する場合、どのプロジェクトのどのタスクにリソースを投入すべきかを１回の操作で特定することができる。
【図面の簡単な説明】
【００１１】
【図１】実施の形態１に係るプロジェクト管理支援装置の構成を示すブロック図。
【図２】実施の形態１に係るプロジェクト管理支援装置の動作を示すフローチャート。
【図３】実施の形態１に係るプロジェクト属性テーブルの例を示す表。
【図４】実施の形態１に係るプロジェクト目標テーブルの例を示す表。
【図５】実施の形態１に係る過去実績テーブルの例を示す表。
【発明を実施するための形態】
【００１２】
以下、本発明の実施の形態について、図を用いて説明する。各図中、同一または相当する部分には、同一符号を付している。実施の形態の説明において、同一または相当する部分については、説明を適宜省略または簡略化する。なお、本発明は、以下に説明する実施の形態に限定されるものではなく、必要に応じて種々の変更が可能である。例えば、以下に説明する実施の形態は、部分的に実施されても構わない。
【００１３】
実施の形態１．
本実施の形態について、図１から図５を用いて説明する。
【００１４】
＊＊＊構成の説明＊＊＊
図１を参照して、本実施の形態に係るプロジェクト管理支援装置１００の構成を説明する。
【００１５】
プロジェクト管理支援装置１００は、１つのプロジェクトにつき複数のタスクを含む複数のプロジェクトの管理を支援するコンピュータである。プロジェクト管理支援装置１００は、プロセッサ１０１を備えるとともに、メモリ１０２、入力装置１０３およびディスプレイ１０４といった他のハードウェアを備える。プロセッサ１０１は、信号線を介して他のハードウェアと接続され、これら他のハードウェアを制御する。
【００１６】
プロジェクト管理支援装置１００は、機能要素として、操作処理部１１０と、抽出処理部１２０と、表示処理部１３０とを備える。操作処理部１１０、抽出処理部１２０および表示処理部１３０の機能は、ソフトウェアにより実現される。
【００１７】
プロセッサ１０１は、各種処理を行うＩＣである。「ＩＣ」は、Ｉｎｔｅｇｒａｔｅｄ  Ｃｉｒｃｕｉｔの略語である。プロセッサ１０１は、例えば、ＣＰＵである。「ＣＰＵ」は、Ｃｅｎｔｒａｌ  Ｐｒｏｃｅｓｓｉｎｇ  Ｕｎｉｔの略語である。
【００１８】
メモリ１０２には、プロジェクト管理データベース２００と、タスク管理データベース３００とが構築される。プロジェクト管理データベース２００は、プロジェクト属性テーブル２０１と、プロジェクト目標テーブル２０２と、過去実績テーブル２０３とを有する。タスク管理データベース３００は、タスク情報テーブル３０１と、工程進捗情報テーブル３０２とを有する。メモリ１０２は、例えば、フラッシュメモリまたはＲＡＭである。「ＲＡＭ」は、Ｒａｎｄｏｍ  Ａｃｃｅｓｓ  Ｍｅｍｏｒｙの略語である。
【００１９】
入力装置１０３は、例えば、マウス、キーボードまたはタッチパネルである。
【００２０】
ディスプレイ１０４は、例えば、ＬＣＤである。「ＬＣＤ」は、Ｌｉｑｕｉｄ  Ｃｒｙｓｔａｌ  Ｄｉｓｐｌａｙの略語である。
【００２１】
プロジェクト管理支援装置１００は、ハードウェアとして、通信装置を備えていてもよい。
【００２２】
通信装置は、データを受信するレシーバおよびデータを送信するトランスミッタを含む。通信装置は、例えば、通信チップまたはＮＩＣである。「ＮＩＣ」は、Ｎｅｔｗｏｒｋ  Ｉｎｔｅｒｆａｃｅ  Ｃａｒｄの略語である。
【００２３】
メモリ１０２には、操作処理部１１０、抽出処理部１２０および表示処理部１３０の機能を実現するプログラムであるプロジェクト管理支援プログラムが記憶されている。プロジェクト管理支援プログラムは、プロセッサ１０１に読み込まれ、プロセッサ１０１によって実行される。メモリ１０２には、ＯＳも記憶されている。「ＯＳ」は、Ｏｐｅｒａｔｉｎｇ  Ｓｙｓｔｅｍの略語である。プロセッサ１０１は、ＯＳを実行しながら、プロジェクト管理支援プログラムを実行する。なお、プロジェクト管理支援プログラムの一部または全部がＯＳに組み込まれていてもよい。
【００２４】
プロジェクト管理支援プログラムおよびＯＳは、補助記憶装置に記憶されていてもよい。補助記憶装置は、例えば、フラッシュメモリまたはＨＤＤである。「ＨＤＤ」は、Ｈａｒｄ  Ｄｉｓｋ  Ｄｒｉｖｅの略語である。補助記憶装置に記憶されているプロジェクト管理支援プログラムおよびＯＳは、メモリ１０２にロードされ、プロセッサ１０１によって実行される。
【００２５】
プロジェクト管理データベース２００およびタスク管理データベース３００は、補助記憶装置に構築されていてもよい。
【００２６】
プロジェクト管理支援装置１００は、プロセッサ１０１を代替する複数のプロセッサを備えていてもよい。これら複数のプロセッサは、プロジェクト管理支援プログラムの実行を分担する。それぞれのプロセッサは、プロセッサ１０１と同じように、各種処理を行うＩＣである。
【００２７】
操作処理部１１０、抽出処理部１２０および表示処理部１３０の処理の結果を示す情報、データ、信号値および変数値は、メモリ１０２、補助記憶装置、または、プロセッサ１０１内のレジスタまたはキャッシュメモリに記憶される。
【００２８】
プロジェクト管理支援プログラムは、磁気ディスクおよび光ディスクといった可搬記録媒体に記憶されてもよい。
【００２９】
＊＊＊動作の説明＊＊＊
図２を参照して、本実施の形態に係るプロジェクト管理支援装置１００の動作を説明する。プロジェクト管理支援装置１００の動作は、本実施の形態に係るプロジェクト管理支援方法に相当する。
【００３０】
ステップＳ１において、操作処理部１１０は、ユーザの操作１１１を受け付ける。
【００３１】
具体的には、操作処理部１１０は、ディスプレイ１０４によって入力画面を出力し、ボタンを入力画面に表示する。ユーザが入力画面に表示されたボタンを押下する操作１１１を入力装置１０３によって行うと、操作処理部１１０は、ボタンが押下されたことを抽出処理部１２０に通知する。
【００３２】
このように、本実施の形態において、操作処理部１１０は、ユーザの操作１１１を入力画面で受け付ける。
【００３３】
ステップＳ２において、抽出処理部１２０は、操作処理部１１０により受け付けられた１回の操作１１１に対して、複数のプロジェクトのうち、少なくとも１つのプロジェクトを選択する。抽出処理部１２０は、選択したプロジェクトに含まれる複数のタスクの中から、リソースを投入すべきタスクを抽出する。そして、抽出処理部１２０は、抽出したタスクを示す情報１２１を生成する。
【００３４】
具体的には、抽出処理部１２０は、入力画面に表示されたボタンが押下されたことが操作処理部１１０から通知されると、プロジェクト管理データベース２００に含まれるプロジェクト属性テーブル２０１、プロジェクト目標テーブル２０２および過去実績テーブル２０３を参照して、各プロジェクトの優先度を計算する。そして、抽出処理部１２０は、計算した優先度を閾値と比較する。
【００３５】
優先度が閾値よりも高いプロジェクトが１つしかない場合、抽出処理部１２０は、タスク管理データベース３００に含まれるタスク情報テーブル３０１および工程進捗情報テーブル３０２を参照して、その１つのプロジェクトに含まれる各タスクに遅延等の課題が発生しているかどうかを判定する。そして、抽出処理部１２０は、課題が発生しているタスクを示す情報１２１を表示処理部１３０に通知する。
【００３６】
優先度が閾値よりも高いプロジェクトが２つ以上ある場合、抽出処理部１２０は、それら２つ以上のプロジェクトについて、タスク管理データベース３００に含まれるタスク情報テーブル３０１および工程進捗情報テーブル３０２を参照して、各プロジェクトに含まれる各タスクに遅延等の課題が発生しているかどうかを判定する。そして、抽出処理部１２０は、優先度が閾値よりも高いプロジェクトごとに、課題が発生しているタスクを示す情報１２１を表示処理部１３０に通知する。
【００３７】
このように、本実施の形態において、抽出処理部１２０は、１回の操作１１１に対して、２つ以上のプロジェクトを選択した場合、選択したプロジェクトごとに、リソースを投入すべきタスクを抽出する。そして、抽出処理部１２０は、選択したプロジェクトごとに、抽出したタスクを示す情報１２１を生成する。
【００３８】
なお、抽出処理部１２０は、各プロジェクトの優先度を閾値と比較する代わりに、複数のプロジェクトの中から、一番優先度の高いプロジェクトを選択してもよい。すなわち、抽出処理部１２０は、一番優先度の高いプロジェクトのみについて、そのプロジェクトに含まれる各タスクに遅延等の課題が発生しているかどうかを判定し、課題が発生しているタスクを示す情報１２１を表示処理部１３０に通知してもよい。
【００３９】
ここで、プロジェクト管理データベース２００に含まれるプロジェクト属性テーブル２０１、プロジェクト目標テーブル２０２および過去実績テーブル２０３の例をそれぞれ図３、図４および図５に示す。
【００４０】
図３の例において、プロジェクト属性テーブル２０１は、現在進行中または今後開始予定のプロジェクトごとに、「ビジネスユニット」、「製品ドメイン」、「Ｓ／Ｗ種別」、「Ｓ／Ｗ開発規模」、「開発期間」、「開発工数」、「作業範囲」、「対象言語」、「対象ＯＳ」、「対象ＣＰＵ」、「開発人数」および「成果物の種類」といった属性を示す情報を格納する。「Ｓ／Ｗ」は、Ｓｏｆｔｗａｒｅの略語である。具体例として、抽出処理部１２０は、「Ｓ／Ｗ開発規模」、「開発工数」、「作業範囲」および「開発人数」といった項目から、プロジェクトの規模の大きさを数値化し、得られた数値に比例する優先度を計算する。
【００４１】
図４の例において、プロジェクト目標テーブル２０２は、現在進行中または今後開始予定のプロジェクトごとに、「売上」、「品質」および「生産性」等の目標を示す情報を格納する。具体例として、抽出処理部１２０は、「売上」の目標から、プロジェクトの重要度を数値化し、得られた数値に比例する優先度を計算する。
【００４２】
図５の例において、過去実績テーブル２０３は、過去に完了したプロジェクトごとに、「ビジネスユニット」、「製品ドメイン」、「Ｓ／Ｗ種別」、「Ｓ／Ｗ開発規模」、「開発期間」、「開発工数」、「作業範囲」、「対象言語」、「対象ＯＳ」、「対象ＣＰＵ」、「開発人数」、「成果物の種類」、「売上」、「品質」、「生産性」および「遅延」等の実績を示す情報を格納する。「Ｓ／Ｗ開発規模」、「開発期間」、「開発工数」、「開発人数」、「売上」、「品質」および「生産性」については、予定と実績との両方が示される。具体例として、抽出処理部１２０は、プロジェクト属性テーブル２０１の各項目と過去実績テーブル２０３の対応する項目とを比較し、比較結果に応じて、リソースを投入すべき優先順位を決定する。
【００４３】
図示していないが、タスク管理データベース３００に含まれるタスク情報テーブル３０１は、現在進行中または今後開始予定のプロジェクトごとに、各プロジェクトに含まれる各工程の各タスクの属性に関する情報を格納する。
【００４４】
また、タスク管理データベース３００に含まれる工程進捗情報テーブル３０２は、現在進行中または今後開始予定のプロジェクトごとに、各プロジェクトに含まれる各工程の各タスクの進捗状況に関する情報を格納する。具体例として、抽出処理部１２０は、各タスクの進捗状況に関する情報から、各タスクに遅延等の課題が発生しているかどうかを判定する。
【００４５】
ステップＳ３において、表示処理部１３０は、１回の操作１１１に対して抽出処理部１２０により生成された情報１２１を表示する。
【００４６】
具体的には、表示処理部１３０は、遅延等の課題が発生しているタスクを示す情報１２１が抽出処理部１２０から通知されると、ディスプレイ１０４によって出力画面を出力し、通知された情報１２１を出力画面に表示する。このとき、表示処理部１３０は、２つ以上のプロジェクトの情報１２１が抽出処理部１２０から通知されていれば、それら２つ以上のプロジェクトの情報１２１すべてを出力画面に同時に表示する。すなわち、表示処理部１３０は、１回の操作１１１に対して抽出処理部１２０により生成された情報１２１を一括表示する。このため、複数のプロジェクトが並走し、２つ以上のプロジェクトのタスクに課題が存在する場合、ユーザは、どのプロジェクトのどのタスクにリソースを投入すべきかを示す情報１２１をプロジェクト横断的に確認することができる。
【００４７】
本実施の形態では、出力画面は、前述した入力画面から直接遷移する画面である。このため、複数のプロジェクトが並走し、それぞれのプロジェクトの１つ以上のタスクに課題が存在する場合、ユーザは、どのプロジェクトのどのタスクにリソースを投入すべきかを示す情報１２１を１度の画面遷移で特定することができる。
【００４８】
本実施の形態において、表示処理部１３０は、抽出処理部１２０により生成された情報１２１を表示する際に、リソースの投入を優先すべきタスクを他のタスクよりも強調して表示する。具体的には、表示処理部１３０は、ステップＳ２で選択されたプロジェクトに含まれるタスクのうち、遅延等の課題が発生しているタスクを、他のタスクに対する依存関係およびその他の属性から、太線等で強調表示する。このため、ユーザは、リソースの投入を集中すべきタスクを瞬時に把握することができる。
【００４９】
＊＊＊実施の形態の効果の説明＊＊＊
本実施の形態では、１回の操作１１１に対して、少なくとも１つのプロジェクトが選択され、選択されたプロジェクトに含まれる、リソースを投入すべきタスクを示す情報１２１が表示される。このため、複数のプロジェクトが並走し、それぞれのプロジェクトの１つ以上のタスクに課題が存在する場合、どのプロジェクトのどのタスクにリソースを投入すべきかを１回の操作１１１で特定することができる。
【００５０】
本実施の形態では、プロジェクト管理支援装置１００が、ユーザからのデータ入力を司る操作処理部１１０と、ユーザへのメッセージ表示を司る表示処理部１３０とのほかに、抽出処理部１２０を備える。抽出処理部１２０は、プロジェクト管理データベース２００からプロジェクトに関する情報を抽出し、優先プロジェクトを決定する。そして、抽出処理部１２０は、タスク管理データベース３００から優先プロジェクトに含まれるタスクに関する情報を抽出し、リソースを投入すべきタスクを決定する。この構成により、複数のプロジェクトから施策を実施すべきプロジェクトを選択し、さらに同時に注力すべきタスクまで示すことできるため、プロジェクトを跨ってリソースの投入判断が素早く行える。
【００５１】
本実施の形態では、プロジェクト管理データベース２００に含まれるプロジェクト属性テーブル２０１とともに、同じくプロジェクト管理データベース２００に含まれるプロジェクト目標テーブル２０２を参照して、優先プロジェクトが抽出される。このため、リソース不足が発生した場合の影響がより大きいプロジェクトを優先的に抽出することができる。施策を実施すべきプロジェクトに優先順位を付けることもできる。
【００５２】
本実施の形態では、プロジェクト管理データベース２００に含まれるプロジェクト属性テーブル２０１およびプロジェクト目標テーブル２０２とともに、同じくプロジェクト管理データベース２００に含まれる過去実績テーブル２０３を参照して、優先プロジェクトが抽出される。このため、優先順位の判定の精度を向上させることができる。
【００５３】
上記のように、本実施の形態によれば、各プロジェクトの目標、過去の実績、特性等を示す情報を蓄積することで、プロジェクトの優先判断を、精度高く行うことができる。
【００５４】
＊＊＊他の構成＊＊＊
本実施の形態では、操作処理部１１０、抽出処理部１２０および表示処理部１３０の機能がソフトウェアにより実現されるが、変形例として、操作処理部１１０、抽出処理部１２０および表示処理部１３０の機能がソフトウェアとハードウェアとの組み合わせにより実現されてもよい。すなわち、操作処理部１１０、抽出処理部１２０および表示処理部１３０の機能の一部が専用の電子回路により実現され、残りがソフトウェアにより実現されてもよい。
【００５５】
専用の電子回路は、例えば、単一回路、複合回路、プログラム化したプロセッサ、並列プログラム化したプロセッサ、ロジックＩＣ、ＧＡ、ＦＰＧＡまたはＡＳＩＣである。「ＧＡ」は、Ｇａｔｅ  Ａｒｒａｙの略語である。「ＦＰＧＡ」は、Ｆｉｅｌｄ−Ｐｒｏｇｒａｍｍａｂｌｅ  Ｇａｔｅ  Ａｒｒａｙの略語である。「ＡＳＩＣ」は、Ａｐｐｌｉｃａｔｉｏｎ  Ｓｐｅｃｉｆｉｃ  Ｉｎｔｅｇｒａｔｅｄ  Ｃｉｒｃｕｉｔの略語である。
【００５６】
プロセッサ１０１、メモリ１０２および専用の電子回路を、総称して「プロセッシングサーキットリ」という。つまり、操作処理部１１０、抽出処理部１２０および表示処理部１３０の機能がソフトウェアにより実現されるか、ソフトウェアとハードウェアとの組み合わせにより実現されるかに関わらず、操作処理部１１０、抽出処理部１２０および表示処理部１３０の機能は、プロセッシングサーキットリにより実現される。
【００５７】
プロジェクト管理支援装置１００の「装置」を「方法」に読み替え、操作処理部１１０、抽出処理部１２０および表示処理部１３０の「処理部」を「工程」に読み替えてもよい。あるいは、プロジェクト管理支援装置１００の「装置」を「プログラム」、「プログラムプロダクト」または「プログラムを記録したコンピュータ読取可能な媒体」に読み替え、操作処理部１１０、抽出処理部１２０および表示処理部１３０の「処理部」を「手順」または「処理」に読み替えてもよい。
【００５８】
プロジェクト管理データベース２００に含まれるプロジェクト属性テーブル２０１、プロジェクト目標テーブル２０２および過去実績テーブル２０３は、別々のデータベースとして実装されてもよい。
【００５９】
タスク管理データベース３００に含まれるタスク情報テーブル３０１および工程進捗情報テーブル３０２は、別々のデータベースとして実装されてもよい。
【符号の説明】
【００６０】
１００  プロジェクト管理支援装置、１０１  プロセッサ、１０２  メモリ、１０３  入力装置、１０４  ディスプレイ、１１０  操作処理部、１１１  操作、１２０  抽出処理部、１２１  情報、１３０  表示処理部、２００  プロジェクト管理データベース、２０１  プロジェクト属性テーブル、２０２  プロジェクト目標テーブル、２０３  過去実績テーブル、３００  タスク管理データベース、３０１  タスク情報テーブル、３０２  工程進捗情報テーブル。
【図１】
2018116330.tif 000003
【図２】
2018116330.tif 000004
【図３】
2018116330.tif 000005
【図４】
2018116330.tif 000006
【図５】
2018116330.tif 000007